(57)【特許請求の範囲】
【請求項１】
上端及び下端並びに内面及び外面を有し、樹脂で形成された側壁を備え、
前記側壁は前記側壁の内面と外面を貫通する通気孔を有しており、
前記通気孔は、前記側壁の内面から外面にかけて、前記側壁の上端から下端に向かう方向に傾斜しており、
前記側壁は、前記通気孔の内部に区切り板を有しており、
前記区切り板は、前記側壁の内面から突出している、集光型太陽光発電装置用函体。
【請求項２】
前記側壁は、前記外面側に対して傾斜している、請求項１記載の集光型太陽光発電装置用函体。
【請求項３】
上端及び下端並びに内面及び外面を有し、樹脂で形成された側壁を備え、
前記側壁は前記側壁の内面と外面を貫通する通気孔を有しており、
前記通気孔は、前記側壁の内面から外面にかけて、前記側壁の上端から下端に向かう方向に傾斜しており、
前記側壁は、前記通気孔の内部に区切り板を有しており、
前記側壁の内面において、前記通気孔の外周を囲むように形成された突出環を有する、集光型太陽光発電装置用函体。
【請求項４】
前記区切り板は、前記側壁の上端から下端に向かう方向に延出するように形成されている、請求項１に記載の集光型太陽光発電装置用函体。
【請求項５】
上端及び下端並びに内面及び外面を有し、樹脂で形成された側壁を備え、
前記側壁は前記側壁の内面と外面を貫通する通気孔を有しており、
前記通気孔は、前記側壁の内面から外面にかけて、前記側壁の上端から下端に向かう方向に傾斜しており、
前記側壁は、主側板と副側板を有しており、前記主側板は前記側壁の外面側に対して第１の角度で傾斜するように形成されており、前記副側板は前記側壁の外面側に対して前記第１の角度よりも大きい第２の角度で傾斜するように形成されており、
前記副側板は、前記側壁の外面側に形成されている、集光型太陽光発電装置用函体。
【請求項６】
前記通気孔は、前記副側板上に形成されている、請求項５記載の集光型太陽光発電装置用函体。
【請求項７】
前記区切り板は、前記通気孔が少なくとも２つの副通気孔に分割されるように形成されている、請求項１記載の集光型太陽光発電装置用函体。
【請求項８】
前記区切り板は、前記集光型太陽光発電装置用函体を側面から見たときに前記通気孔全体が前記区切り板によって覆われるように形成されている、請求項１記載の集光型太陽光発電装置用函体。
【請求項９】
前記区切り板は、前記側壁の外面側の端部及び前記側壁の内面側の端部を含んでおり、前記側壁の外面側の端部が鋭角となるように形成されている、請求項１記載の集光型太陽光発電装置用函体。
【請求項１０】
前記請求項１〜９のいずれか１項に記載の集光型太陽光発電装置用函体を有する、集光型太陽光発電装置。
【発明の詳細な説明】
【技術分野】
【０００１】
本発明は、太陽光発電装置用函体に関し、特に、函体内に設けられた発電素子が太陽光を受けて、受光量に応じた電力を発生する太陽光発電モジュールに関する。
【背景技術】
【０００２】
従来、太陽光を集光して電力に変換する太陽光発電モジュールが開発されている。たとえば、特許文献１（国際公開第２０１３／１５００３１号）には、以下のような技術が開示されている。すなわち、特許文献１に記載の集光型太陽光発電装置は、筐体内にレンズおよび発電素子を備え、当該筐体内にガスを流入させてレンズと発電素子との間の距離を調整する。
【０００３】
また、たとえば、特許文献２（米国特許第８５９２７３８号明細書）には、以下のような技術が開示されている。
【０００４】
すなわち、特許文献２に記載の集光型太陽発電装置では、入射する光の光軸を確認するための装置が取り付けられている。
【０００５】
次に、たとえば、特許文献３（特許第４９５３７４５号公報）には、以下のような技術が開示されている。すなわち、特許文献３に記載の集光型太陽光発電ユニットは、太陽光を集光する集光レンズが接合され集光型太陽光発電ユニットの天面を保護する透光性保護板、集光型太陽光発電ユニットの基本構造体となる長尺状フレーム、複数の太陽電池を実装する太陽電池実装板を備える。また、長尺状フレームは、長手方向の端部に通気孔を備え、長尺状フレーム内部に気流を発生させる。
【０００６】
また、たとえば、特許文献４（特開２００８−４６６１号公報）には、以下のような技術が開示されている。すなわち、特許文献４に記載の集光型太陽発電装置は、底部材と周囲部材と上部材とで囲われ、内部には空間が形成され、かつ、上部材を太陽に対向させるように傾斜させて用いるケースを備えている。このケースの上部材には太陽光を集光するための複数のフレネルレンズを備えさせ、上記ケースの内部には上記フレネルレンズにより夫々集光された光を夫々受光して発電する複数の太陽電池セルを備えさせる。また、上記ケースの周囲部材においては、相対向する面に少なくとも夫々２つずつの開口部を配設し、しかも各面における上記二つの開口部は、上記フレネルレンズ側寄りの上方と、太陽電池セル側寄りの下方に配置する。
【先行技術文献】
【特許文献】
【０００７】
【特許文献１】国際公開第２０１３／１５００３１号
【特許文献２】米国特許第８５９２７３８号明細書
【特許文献３】特許第４９５３７４５号公報
【特許文献４】特開２００８−４６６１号公報
【特許文献５】特開平７−２７４７４２号公報
【発明の概要】
【発明が解決しようとする課題】
【０００８】
上記のような従来技術の根底にある共通かつ究極の課題は、屋外の厳しい環境下において発電効率その他の性能を発揮させることであるが、厳しい環境下で常に十分な性能が得られていない。
【０００９】
より具体的には、以下のような課題が存在する。上記のような従来技術においては、筐体が金属で形成されているため、気温の変化によって筐体の底部が膨張または収縮し、底部に設けられた発電素子と筐体の上面に設けられたフレネルレンズとの間の距離が変化する。そのため、発電素子に集光される太陽光の光量が大幅に低下することに伴って太陽光発電モジュールの発電効率の低下し、十分な発電効率が得られない。
【００１０】
また、例えば特許文献３に記載の集光型太陽光発電ユニットでは、長尺上フレームの端部に設けられた通気孔から雨水または砂塵などの異物が長尺状フレームの内部へ侵入することを防止するため、通気孔を被覆する通気孔被覆部が設けられている。しかし、かかる構成によっても異物の侵入を十分に防ぐことができない可能性があり、異物が侵入することにより集光型太陽光発電ユニットの性能の劣化などを招く虞がある。
【００１１】
かかる課題に鑑み、本発明は、太陽光発電モジュールの発電効率をさらに高め、塵埃、水滴、異物、その他筐体内部には入れたくない物が筐体内部に混入することに伴う性能劣化を抑制することができる構成を提供することを目的とする。
【課題を解決するための手段】
【００１２】
本発明の一態様に係る集光型太陽光発電装置用函体は、上端及び下端並びに内面及び外面を有し、樹脂で形成された側壁を備え、前記側壁は前記側壁の内面と外面を貫通する通気孔を有しており、前記通気孔は、前記側壁の内面から外面にかけて、前記側壁の上端から下端に向かう方向に傾斜している。
【発明の効果】
【００１３】
上記によれば、集光型太陽光発電モジュールの発電効率を、さらに高め、埃、水滴、異物、その他筐体内部には入れたくない物が筐体内部に混入することを抑制することができる構成を提供することができる。
【図面の簡単な説明】
【００１４】
【図１】第１の実施の形態に係る筐体を用いた集光型太陽光発電装置の斜視図である。
【図２】図１に示す架台の構成を示す斜視図である。
【図３】第１の実施の形態に係る筐体を用いた集光型太陽光発電モジュールの斜視図である。
【図４】第１の実施の形態に係る筐体を用いた集光型太陽光発電モジュールの平面図である。
【図５】第１の実施の形態に係る筐体の詳細な構成を示す斜視図である。
【図６】図５におけるＶＩ−ＶＩ断面の断面図である。
【図７】図５におけるＶＩＩ−ＶＩＩ断面の断面図である。
【図８】第２の実施の形態に係る筐体の構成を示す断面図である。
【図９】図８に示す区切り板の構成をさらに詳細に示す断面図である。
【図１０】図８に示す区切り板の変形例を示す断面図である。
【図１１】図８に示す通気孔及び区切り板を外側から見た正面図である。
【発明を実施するための形態】
【００１５】
［本発明の実施形態の説明］
最初に本発明の実施態様を列記して説明する。
【００１６】
（１）本発明の一態様に係る集光型太陽光発電装置用函体は、上端及び下端並びに内面及び外面を有し、樹脂で形成された側壁を備え、前記側壁は前記側壁の内面と外面を貫通する通気孔を有しており、前記通気孔は、前記側壁の内面から外面にかけて、前記側壁の上端から下端に向かう方向に傾斜している。なお、前記側壁の内面から外面にかけて前記側壁の上端から下端に向かう方向に傾斜している場合には、前記通気孔が前記側壁の内面から外面にかけて真下方向に向かって形成されている場合も含む。
【００１７】
このような函体の側壁に傾斜した通気孔を設ける構成により、筐体内の温度を筐体外部の気温に近づけ、過度な温度上昇を抑制することができるとともに、塵埃、水滴、異物、その他筐体内部には入れたくない物が筐体内部に混入することを抑制することができる。また、側壁が樹脂で形成されているため、気温の変化に伴ってレンズの焦点距離が変化する場合であっても、側壁もまた気温の変化に伴って膨張または収縮して、レンズと発電素子との距離が変化するため、レンズの焦点距離が変化したとしても、発電素子に集光される太陽光の光量が大幅に低下することを防ぎ、太陽光発電モジュールの発電効率の低下を抑制することができる。
【００１８】
（２）上記（１）の集光型太陽光発電装置用函体において、前記側壁は、前記外面側に対して傾斜していてもよい。
【００１９】
このような側壁の構成により、前記通気孔の傾斜を大きくすることができ、塵埃、水滴、異物、その他筐体内部には入れたくない物が筐体内部に混入することをさらに抑制することができる。
【００２０】
（３）上記（１）の集光型太陽光発電装置用函体において、前記側壁は、前記通気孔の内部に、前記側壁の内面と交差するように形成された区切り板を有していてもよい。
【００２１】
このような通気孔の内部に区切り板が設ける構成により、塵埃、水滴、異物、その他筐体内部には入れたくない物が筐体内部に侵入することをさらに抑制することができる。
【００２２】
（４）上記（３）の集光型太陽光発電装置用函体において、前記区切り板は、前記側壁の内面から突出していてもよい。
【００２３】
このような前記区切り板が前記側壁の内面から突出する構成により、側壁の幅を通気孔の長さよりも長くできるので、側壁の強度を高めることができる。
【００２４】
（５）上記（３）の集光型太陽光発電装置用函体において、前記側壁の内面において、前記通気孔の外周を囲むように形成された突出環を有していてもよい。
【００２５】
このような突出環を前記側壁の内面に設けられる構成により、通気孔を通過する空気をガイドし、筐体内の過度な温度上昇をさらに抑制することができる。
【００２６】
（６）上記（３）の集光型太陽光発電装置用函体において、前記区切り板は、前記側壁の上端から下端に向かう方向に延出するように形成されていてもよい。
【００２７】
このような前記区切り板の構成により、筐体内で空気を上下に効率よく流すことができる整流作用が生じ、筐体内の過度な温度上昇をさらに抑制することができる。
【００２８】
（７）上記（１）の集光型太陽光発電装置用函体において、前記側壁は、主側板と副側板を有しており、前記主側板は前記側壁の外面側に対して第１の角度で傾斜するように形成されており、前記副側板は前記側壁の外面側に対して前記第１の角度よりも大きい第２の角度で傾斜するように形成されていてもよい。
【００２９】
このような前記側壁が主側板と副側板を有する構成により、筐体の強度・剛性を向上させることができる。
【００３０】
（８）上記（７）の集光型太陽光発電用函体において、前記通気孔は、前記副側板上に形成されていてもよい。
【００３１】
このような前記通気孔が前記副側板上に掲載される構成により、前記通気孔の傾斜を大きくすることができ、塵埃、水滴、異物、その他筐体内部には入れたくない物が筐体内部に混入することをさらに抑制することができる。
【００３２】
（９）上記（７）の集光型太陽光発電用函体において、前記副側板は、前記側壁の外面側に形成されていてもよい。
【００３３】
このような前記副側板が前記側壁の外面側に形成される構成により、筐体の強度・剛性を向上させることができる。
【００３４】
（１０）上記（３）の集光型太陽光発電用函体において、前記区切り板は、前記通気孔が少なくとも２つの副通気孔に分割されるように形成されていてもよい。
【００３５】
このような前記区切り板を前記通気孔が複数の副通気孔に分割されるように形成される構成により、通気孔の壊れにくさを向上させることができる。
【００３６】
（１１）上記（３）の集光型太陽光発電用函体において、前記区切り板は、前記集光型太陽光発電装置用筐体を側面から見たときに前記通気孔全体が前記区切り板によって覆われるように形成されていてもよい。
【００３７】
このような前記区切り板が前記集光型太陽光発電装置用函体を側面から見たときに前記通気孔全体が前記区切り板によって覆われるように形成される構成とすることにより、例えば横殴りの雨が降っているような場合でも、筐体内に水が混入することを抑制することができる。
【００３８】
（１２）上記（３）の集光型太陽光発電用装置用函体において、前記区切り板は、前記側壁の外面側の端部及び前記側壁の内面側の端部を含んでおり、前記側壁の外面側の端部が鋭角となるように形成されていてもよい。
【００３９】
このような前記区切り板の前記側壁の外面側の端部が鋭角となるように形成された構成により、水が前記区切り板上に流れてきてもそのまま下に落ちやすくなり、筐体内に水が混入することをさらに抑制することができる。
【００４０】
（１３）本発明の一態様に係る集光型太陽光発電装置は、上記（１）から（１２）の集光型太陽光発電装置用函体を有する。
【００４１】
このような集光型太陽光発電用函体を有する構成により、筐体内の温度を筐体外部の気温に近づけ、過度な温度上昇を抑制することができる。また、気温の変化に伴ってレンズの焦点距離が変化する場合、樹脂で形成されている側壁もまた気温の変化に伴って膨張または収縮して、レンズと発電素子との距離が変化するため、レンズの焦点距離が変化したとしても、発電素子に集光される太陽光の光量が大幅に低下することを防ぎ、太陽光発電モジュールの発電効率の低下を抑制することができる。
【００４２】
［本発明の実施形態の詳細］
以下、本発明の実施の形態について図面を用いて説明する。なお、各図中同一または相当部分には同一符号を付している。また、以下に記載する実施の形態の少なくとも一部を任意に組み合わせてもよい。
【００４３】
（第１の実施の形態）
［太陽光発電装置の構成］
図１は、第１の実施の形態に係る太陽光発電装置の外観を示す斜視図である。また、図２は、図１に示す架台の構成を示す斜視図である。
【００４４】
図１に示すように、太陽光発電装置１００は、複数の太陽光発電モジュール１と、架台２とを備える。架台２は、フレーム部材Ｆ１と、図示しない太陽方位計Ｃ１と、図示しない駆動部Ｍ１とを含む。太陽方位計Ｃ１は、太陽の位置を検知するためのセンサを含む。複数の太陽光発電モジュール１は、並べられた状態でフレーム部材Ｆ１に固定される。
【００４５】
駆動部Ｍ１は、太陽方位計Ｃ１から出力される信号に基づいて太陽の位置を認識し、たとえば日の出から日没までの間、太陽光発電モジュール１の受光面が太陽と正対するように、フレーム部材Ｆ１の向きを変化させる。
【００４６】
図２に示すように、架台２のフレーム部材Ｆ１は、複数の柱が縦方向および横方向に交差するように設けられ、このフレーム部材Ｆ１により形成される直方体（但し、上面なし、底面あり）の各収容部Ｅ１に太陽光発電モジュール１が１つずつ挿入される。なお、図２に示す収容部Ｅ１は直方体であるが、この収容部Ｅ１は立方体などであってもよい。
【００４７】
複数の収容部Ｅ１を有するパネル筐体（フレーム全体）１２は、フレーム部材Ｆ１によって複数の区画（収容部）に仕切られた受け皿状の形態となっている。なお、後述する太陽光発電モジュールの側壁は樹脂製であるが、このような太陽光発電モジュールであっても、パネル筐体１２への装着により、十分な機械的強度を発揮する。
【００４８】
［太陽光発電モジュールの構成］
図３は、第１の実施の形態に係る太陽光発電モジュールの外観を示す斜視図である。また、図４は、第１の実施の形態に係る太陽光発電モジュールの平面図である。さらに、図５は、第１の実施の形態に係る太陽光発電モジュールにおける筐体の詳細な構成を示す斜視図である。なお、図５では、筐体２１の内部の構成を説明するため、集光部２２を図示していない。
【００４９】
図３および図４に示すように、太陽光発電モジュール１は、直方体または立方体の形状を有する筐体２１を含む。筐体２１は、底部２３と、側壁２４と、集光部２２とを有する。側壁２４は、筐体２１の側面に相当し、側壁２４の上端に集光部２２が設けられ、側壁２４の下端に底部２３が設けられる。すなわち、集光部２２は筐体２１の上面に相当し、底部２３は筐体２１の底面に相当する。
【００５０】
底部２３は、たとえばアルミニウムにより形成されている。側壁２４は、樹脂により形成されている。なお、側壁２４の構成の詳細については後述する。
【００５１】
集光部２２は、複数のフレネルレンズ２２ｆを含む。集光部２２において、フレネルレンズ２２ｆは、たとえば正方格子状に配置されている。具体的には、各フレネルレンズ２２ｆは、たとえば互いに隣接するフレネルレンズ２２ｆの中心同士の距離が同じＷ１となるように配置されている。
【００５２】
図５に示すように、太陽光発電モジュール１は、筐体２１内部に、さらに、複数の発電素子３０と、複数のＦＰＣ（フレキシブルプリント基板：Ｆｌｅｘｉｂｌｅ  Ｐｒｉｎｔｅｄ  Ｃｉｒｃｕｉｔｓ）３１とを備える。
【００５３】
図５に示すように、複数のＦＰＣ３１は、底部２３において互いに平行または略平行に並んで配置されており、各ＦＰＣ３１に複数の発電素子３０が実装されている。
【００５４】
各発電素子３０は、各フレネルレンズ２２ｆに対応する位置に設けられており、対応のフレネルレンズ２２ｆによって集光された太陽光を受けて、受光量に応じた電力を発生する。
【００５５】
［側壁の構成の詳細］
図５に示すように、側壁２４は、好ましくは筐体２１の外側、すなわち側壁の外面側に対して傾斜していてもよい。
【００５６】
側壁２４は、好ましくは、図５に示すように、主側板２６ａと副側板２６ｂで形成されていてもよい。また、好ましくは、図５に示すように、主側板２６ａは外面側に対して第１の角度で傾斜するように形成されており、副側板２６ｂは外面側に対して前記第１の角度よりも大きい第２の角度で傾斜するように形成されていてもよい。さらに、好ましくは、図５に示すように、副側板２６ｂは、主側板２６ａの外面上の一部の領域に形成されていてもよい。
【００５７】
図５に示すように、側壁２４には、通気孔２４ｈが形成されている。
通気孔２４ｈは、たとえば図５に示すように、筐体２１の各側壁２４に１つずつ形成されている。なお、筐体２１内において空気の流れが発生するように構成されていれば、通気孔２４ｈの数および大きさは制限されず、たとえば、筐体２１の側壁２４のうち、いずれか１つの側壁２４に通気孔２４ｈが形成されていてもよい。
【００５８】
なお、筐体２１全体で少なくとも２つの通気孔があれば、空気の入口と出口がある状態となるので好ましい。但し、筐体２１全体で通気孔が１つであっても、筐体２１内が密閉した空間になることは避けられ、筐体内と外気との圧力バランスを保つことができる。また、通気孔の開口面積や形状を工夫することで最低限の通気性は確保することができる。
【００５９】
図６は、図５のＶＩ−ＶＩ断面における断面図である。
側壁２４に形成されている通気孔２４ｈは、側壁２４の内面側から外面側に向かって、下方に、すなわち側壁２４の上端から下端に向かう方向に傾斜している。なお、通気孔２４ｈの傾斜の角度には特に制限はなく、通気孔２４ｈは、たとえば、真下に向かって形成されていてもよい。
【００６０】
好ましくは、図６に示すように、通気孔２４ｈは、側壁２４の副側板２６ｂ中に形成してもよい。副側板２６ｂは、主側板２６ａと比較して、外面側により大きな角度で傾斜しているため、通気孔２４ｈの傾斜をより大きくすることができる。
【００６１】
［太陽光発電モジュールのフレーム部材への組み付け］
図７は、第１の実施の形態に係る太陽光発電モジュールの筐体がフレーム部材に取り付けられた状態を説明するための、図５のＶＩＩ−ＶＩＩ断面における断面図である。
【００６２】
図７に示すように、太陽光発電モジュール１の筐体２１がフレーム部材Ｆ１により形成される収容部Ｅ１に挿入された状態において、筐体２１の底部２３がフレーム部材Ｆ１の上面に接触する。そして、このような状態において、たとえば底部２３及び側壁２４に形成された取付穴２８にボルト２９が挿入されることにより、筐体２１がフレーム部材Ｆ１に固定される。
【００６３】
なお、取付穴２８にボルト２９が挿入されることにより筐体２１がフレーム部材Ｆ１に固定される構成に限らず、他の方法で筐体２１がフレーム部材Ｆ１に固定されてもよい。
【００６４】
［第１の実施の形態に係る太陽光発電モジュールの効果］
以上のように、太陽光発電モジュール１は、光を受けて発電する発電素子３０と、発電素子３０を収容する閉鎖された筐体２１とを備えている。筐体２１は、太陽光を集光するレンズ（フレネルレンズ２２ｆ）が設けられた集光部２２、発電素子３０が配置される底部２３、および、底部２３の外枠を成し、集光部２２を支持する側壁２４を有する。側壁２４は、側壁２４の内面側から外面側に向かって下方に傾斜している通気孔２４ｈを含んでいる。
【００６５】
ここで、太陽光発電装置は、気温の高低差の大きい場所などで使用されることがあり、気温の変化によって底部が膨張または収縮することにより、底部に設けられた発電素子と筐体の上面に設けられたフレネルレンズとの間の距離が変化することがある。
【００６６】
そして、このように、発電素子とフレネルレンズとの間の距離が変化した場合、当該距離がフレネルレンズの焦点距離に合わず、太陽光を効率良く集光することができない可能性がある。
【００６７】
これに対して、本実施の第１の形態に係る太陽光発電モジュール１では、側壁２４に通気孔２４ｈが形成されている。そのため、筐体２１内において空気の流れが発生し、筐体２１内の温度の大幅な変化を抑制することができ、底部２３の膨張および収縮を抑制できる。
【００６８】
また、本実施の第１の形態に係る太陽光発電モジュールでは、側壁２４が樹脂で形成されている。そのため、気温の変化に伴ってレンズの焦点距離が変化したとしても、側壁もまた気温の変化に伴って膨張または収縮し、レンズと発電素子との距離が変化する。結果、レンズの焦点距離が変化したとしても、発電素子に集光される太陽光の光量が大幅に低下することを防ぎ、太陽光発電モジュールの発電効率の低下を抑制することができる。
【００６９】
このように、筐体２１の側壁２４に通気孔２４ｈが設けるとともに、側壁２４を樹脂で形成する構成により、太陽光発電モジュールの発電効率の低下を抑制することができる。
【００７０】
また、太陽光発電装置は、屋外、すなわち雨水や砂塵などの異物が存在する環境で使用される。そして、雨水や砂塵などの異物が筐体内部に侵入してしまえば、太陽光発電装置の性能の劣化などを招く虞がある。
【００７１】
これに対して、本実施の第１の形態に係る太陽光発電モジュール１では、通気孔２４ｈが、側壁２４の内面側から外面側に向かって下方に傾斜しているため、雨水や砂塵などの異物は通気孔２４ｈを介して筐体内部に侵入しがたい。
【００７２】
このように通気孔２４ｈが側壁２４の内面側から外面側に向かって、下方に傾斜している構成により、雨水や砂塵の筐体内部への侵入を抑制し、太陽光発電モジュールの性能劣化を抑制することができる。
【００７３】
（第２の実施の形態）
第２の実施の形態に係る太陽光発電モジュール１は、側壁２４に設けられた通気孔２４ｈの内部に、区切り板２４ｇをさらに有している。ここでは、上述した第１の実施の形態に係る太陽光発電モジュール１と異なる点について主に説明する。
【００７４】
図８は、第２の実施の形態に係る筐体における通気孔２４ｈを含む断面における断面図である。図９は、図８に示す区切り板２４ｇの構成をさらに詳細に示す断面図である。図１０は、区切り板２４ｇの変形例の詳細を示す断面図である。図１１は、図８に示す通気孔２４ｈ及び区切り板２４ｇを外側から見た正面図である。
【００７５】
図８に示すように、第２の実施の形態にかかる太陽光発電モジュール１の側壁２４は、上述した第１の実施の形態に係る筐体２１と比較して、区切り板２４ｇを備えている。好ましくは、側壁２４は、突出環２４ｆ及びフィルタ１４２をさらに備えている。
【００７６】
［区切り板の構成］
図９に示すように、区切り板２４ｇは通気孔２４ｈの内部に形成されている。
【００７７】
好ましくは、図１１に示すように、区切り板２４ｇは、側壁２４の内面と交差するように形成されていてもよい。すなわち、区切り板２４ｇは、通気孔２４ｈを、複数の副通気孔２５に分割するように形成してもよい。このように区切り板２４ｇを形成することにより、側壁２４を補強することができる。
【００７８】
好ましくは、図９に示すように、区切り板２４ｇの側壁２４の内面側における端部は、側壁２４の内面よりも突出するように形成されていてもよい。
【００７９】
好ましくは、図９に示すように、区切り板２４ｇの側壁２４の外面側の端部は鋭角になるように形成されていてもよい。このように区切り板２４ｇを形成することにより、水が前記区切り板２４ｇ上に流れてきてもそのまま下に落ちやすくなり、筐体内に水が浸入することをさらに抑制することができる。
【００８０】
好ましくは、図１０に示すように、区切り板２４ｇは、側壁２４の上端から下端に向かう方向に延出するように形成されていてもよい。このように区切り板２４ｇを形成することにより、区切り板２４ｇが形成される方向が、自然対流が生じる方向と整合し、筐体内で空気を上下に効率よく流すことができる整流作用が生じる。そのため、筐体内の過度な温度上昇をさらに抑制することができる。
【００８１】
好ましくは、図１１に示すように、区切り板２４ｇは、筐体２１を側面から見たときに通気孔２４ｈ全体が、区切り板２４ｇによって覆われるように形成されていることが望ましい。このような区切り板２４ｇの構成により、例えば横殴りの雨が降っているような場合でも、筐体内に水が浸入することをさらに抑制することができる。
【００８２】
［突出環及びフィルタの構成］
突出環２４ｆは、図９に示すように、通気孔２４ｈの側壁２４の内面側の外周を囲うように形成されている。このような突出環２４ｆの構成により、通気孔２４ｈを通過する空気をガイドし、筐体内の過度な温度上昇をさらに抑制することができる。
【００８３】
フィルタ１４２は、図９に示すように、通気孔２４ｈを覆うように、突出環２４ｆ及び区切り板２４ｇの側壁２４内面側の端部上に設けられている。
【００８４】
フィルタ１４２は、好ましくは、四フッ化エチレン樹脂（ＰＴＦＥ）を用いて樹脂成型されるメッシュ状の部材である。
【００８５】
フィルタ１４２は、突出環２４ｆ及び区切り板２４ｇの側壁２４の内面側の端部に融着される。フィルタ１４２を設ける構成とすることにより、雨水、水滴または虫などの異物が侵入することをさらに抑制することができる。
【００８６】
また、好ましくは、図９に示される構成において、側壁２４を形成する樹脂にカーボンブラック等の黒色の顔料を混練し、側壁２４を黒色としてもよい。フィルタ１４２は、四フッ化エチレン樹脂（ＰＴＦＥ）などを用いて樹脂成型されるメッシュ状の白色の部材であるため、フィルタ１４２を突出環２４ｆ及び区切り板２４ｇと融着する際、溶融した突出環２４ｆ及び区切り板２４ｇを構成する黒色の樹脂が、フィルタ１４２の隙間に浸透し、フィルタ１４２上に白黒の縞模様を形成する。白黒の縞模様は、虫よけ効果があるため、このようなフィルタ１４２、側壁２４、突出環２４ｆ及び区切り板２４ｇの構成により、筐体内部への虫の侵入をさらに抑制することができる。
【００８７】
［第２の実施の形態にかかる太陽光発電モジュールの効果］
本実施の第２の形態に係る太陽光発電モジュール１では、通気孔２４ｈの内部に、区切り板２４ｇが形成されているため、かかる区切り板２４ｇを設けない場合と比較して、通気孔２４ｈの開口幅が実質的に狭くなる。そのため、雨水や砂塵などの異物は通気孔２４ｈを介して筐体内部に侵入しがたく、雨水や砂塵の筐体内部への侵入による太陽光発電モジュールの性能劣化をさらに抑制することができる。
【００８８】
今回開示された実施の形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００８９】
１  太陽光発電モジュール
２  架台
１２  パネル筐体
２１  筐体
２２  集光部
２２ｆ  フレネルレンズ（レンズ）
２３  底部
２４  側壁
２４ｆ  突出環
２４ｇ  区切り板
２４ｈ  通気孔
２５  副通気孔
２６ａ  主側板
２６ｂ  副側板
２８  取付穴
２９  ボルト
３０  発電素子
３１  ＦＰＣ
１００  太陽光発電装置
１４２  フィルタ
Ｃ１  太陽方位計
Ｅ１  収容部
Ｆ１  フレーム部材
Ｍ１  駆動部
【図１】
0006512057.tif 000002
【図２】
0006512057.tif 000003
【図３】
0006512057.tif 000004
【図４】
0006512057.tif 000005
【図５】
0006512057.tif 000006
【図６】
0006512057.tif 000007
【図７】
0006512057.tif 000008
【図８】
0006512057.tif 000009
【図９】
0006512057.tif 000010
【図１０】
0006512057.tif 000011
【図１１】
0006512057.tif 000012